(57)【要約】【課題】変更後の電話番号を、特定の相手に自動的に通知する電話機を提供する。【解決手段】記憶部２１１が、変更後の電話番号を通知する相手の電話番号を記憶する。変更前の電話番号で着信した場合に、電話番号認識部２１２は、発信元の電話番号を認識する。電話番号認識部２１２は、認識した電話番号を電話番号比較部２１３に出力する。電話番号比較部２１３は、電話番号認識部２１２が出力した電話番号を、記憶部２１１が記憶しているか否かを判断する。電話番号比較部２１３は、電話番号認識部２１２が出力した電話番号を、記憶部２１１が記憶していると判断した場合に、変更後の電話番号を通知してよいことを示す情報を電話番号案内部２１４に出力する。電話番号案内部２１４は、変更後の電話番号を示す情報を送信する。【選択図】図１
2007281688.tif 000002
【特許請求の範囲】
【請求項１】
変更後の電話番号を発信元の電話機に通知する電話機であって、
前記発信元の電話機の電話番号を認識する電話番号認識手段と、
前記変更後の電話番号の通知先の電話番号を記憶する記憶手段と、
前記電話番号認識手段が認識した電話番号を、前記記憶手段が記憶しているか否かを判断する電話番号比較手段と、
前記電話番号比較手段が、前記電話番号認識手段が認識した電話番号を前記記憶手段が記憶していると判断した場合に、変更後の電話番号を前記発信元の電話機に通知する電話番号案内手段とを備えた
ことを特徴とする電話機。
【請求項２】
記憶手段は、変更後の電話番号を示す情報を記憶し、
電話番号案内手段は、電話番号比較手段が、電話番号認識手段が認識した電話番号を前記記憶手段が記憶していると判断した場合に、前記変更後の電話番号を示す情報を発信元の電話機に送信する
請求項１記載の電話機。
【請求項３】
記憶手段は、変更後の電話番号を示す信号を記憶し、
電話番号案内手段は、電話番号比較手段が、電話番号認識手段が認識した電話番号を前記記憶手段が記憶していると判断した場合に、前記変更後の電話番号を示す信号を発信元の電話機に送信する
請求項１または請求項２記載の電話機。
【請求項４】
変更後の電話番号を発信元の電話機に通知する電話番号案内システムにおいて、
前記発信元の電話機の電話番号を認識する電話番号認識手段と、
前記変更後の電話番号の通知先の電話番号を記憶する記憶手段と、
前記電話番号認識手段が認識した電話番号を、前記記憶手段が記憶しているか否かを判断する電話番号比較手段と、
前記電話番号比較手段が、前記電話番号認識手段が認識した電話番号を前記記憶手段が記憶していると判断した場合に、変更後の電話番号を示す情報を送信する電話番号案内手段とを含む電話機と、
変更前の電話番号を用いた接続要求、および変更後の電話番号を用いた接続要求に従って、発信元の電話機と発信先の電話機との情報の送受信を中継するサーバとを備えた
ことを特徴とする電話番号案内システム。
【請求項５】
変更後の電話番号を発信元の電話機に通知する電話番号通知方法において、
電話機の電話番号認識手段が、前記発信元の電話機の電話番号を認識する電話番号認識ステップと、
変更後の電話番号の通知先の電話番号を記憶する前記電話機の記憶手段が、前記電話番号認識ステップで前記電話機の電話番号認識手段が認識した電話番号を記憶しているか否かを、前記電話機の電話番号比較手段が判断する電話番号比較ステップと、
前記電話番号比較ステップで、前記電話機の電話番号比較手段が、前記電話番号認識ステップで前記電話番号認識手段が認識した電話番号を前記記憶手段が記憶していると判断した場合に、電話番号案内手段が、変更後の電話番号を前記発信元の電話機に通知する電話番号案内ステップとを備えた
ことを特徴とする電話番号通知方法。
【請求項６】
電話番号比較ステップで電話機の電話番号比較手段が、電話番号認識ステップで電話機の電話番号認識手段が認識した電話番号を記憶手段が記憶していると判断した場合に、電話番号案内ステップで、電話機の電話番号案内手段が、前記記憶手段が記憶している変更後の電話番号を示す情報を発信元の電話機に送信する
請求項５記載の電話番号通知方法。
【請求項７】
電話番号比較ステップで電話機の電話番号比較手段が、電話番号認識ステップで電話機の電話番号認識手段が認識した電話番号を記憶手段が記憶していると判断した場合に、電話番号案内ステップで、電話機の電話番号案内手段が、前記記憶手段が記憶している変更後の電話番号を示す信号を発信元の電話機に送信する
請求項５または請求項６記載の電話番号通知方法。
【請求項８】
変更後の電話番号を発信元の電話機に通知する電話機に搭載される電話番号通知プログラムであって、
コンピュータに、
前記発信元の電話機の電話番号を認識する電話番号認識処理と、
前記電話番号認識処理で認識した電話番号を、前記変更後の電話番号の通知先の電話番号を記憶する記憶手段が記憶しているか否かを判断する電話番号比較処理と、
前記電話番号比較処理において、前記電話番号認識処理で認識した電話番号を前記記憶手段が記憶していると判断した場合に、変更後の電話番号を前記発信元の電話機に通知する電話番号案内処理とを実行させる
ための電話番号通知プログラム。
【発明の詳細な説明】
【技術分野】
【０００１】
本発明は、変更後の電話番号を他の電話機に通知する電話機、電話番号案内システム、および電話番号通知方法に関する。
【背景技術】
【０００２】
一般加入電話通信サービスや、携帯電話通信サービスにおいて、加入者が電話番号を変更した場合、変更前の電話番号（以下、旧電話番号という。）に発信した発信者に、変更後の電話番号（以下、新電話番号という。）の情報を音声で通知する電話番号案内サービスが行われている。
【０００３】
図１０は、電話番号案内サービスを提供する従来の電話番号案内システムの構成例を示すブロック図である。図１０に示す電話番号案内システムは、電話番号が変更された電話機の新電話番号と旧電話番号とを示す新旧番号対応テーブルを記憶しているサーバ１００−１〜１００−ｍを含む。なお、電話機２００−１〜２００−ｎは、サーバ１００−１〜１００−ｍのいずれかに有線通信回線または無線通信回線で接続される。
【０００４】
そして、サーバ１００−２の新旧番号対応テーブル１１０には、電話番号が変更された電話機の新電話番号と旧電話番号とがそれぞれ登録されている。図１０では、電話番号が変更された電話機２００−１および２００−７の新電話番号と旧電話番号とがそれぞれ登録されている場合を例示している。
【０００５】
サーバ１００−２の電話番号案内部３００は、電話機２００−１の旧電話番号を用いた接続要求を電話機２００−２から受信した場合に、新旧番号対応テーブル１１０を参照して、電話機２００−１の新電話番号を電話機２００−２に通知する。
【０００６】
なお、図１０に示す電話番号案内サービスを提供する従来の電話番号案内システムは、文献公知発明に係るものではない。
【０００７】
しかし、一般加入電話通信サービスの提供会社や、携帯電話通信サービスの提供会社が設置している交換機（サーバ）によっては、電話番号案内サービスが行われなかったり、セキュリティや個人情報保護の観点から電話番号案内サービスが行われなかったりする場合がある。そのため、一般加入電話通信サービスや、携帯電話通信サービスの加入者であって、電話番号を変更した加入者は、新電話番号を通知したい相手に自ら連絡しなければならないという問題がある。
【０００８】
また、電話番号を変更せずに携帯電話通信サービスの提供会社を変更することができるサービスの提供が開始されるが、セキュリティや個人情報保護の観点から、電話番号を変更し、特定の相手にのみ新電話番号を通知したいとの要望がある。
【０００９】
特許文献１には、旧電話番号と新電話番号とを記憶しているサーバが、利用者の要求に応じて、旧電話番号にもとづいて新電話番号を検索して抽出するシステムが記載されている。
【００１０】
特許文献２には、登録された変更後の電子メールアドレス等を、所定の条件を満たす照会者に公開するシステムが記載されている。
【００１１】
【特許文献１】特開２００２−１６５０１１号公報（段落００１２〜００２８、図１）
【特許文献２】特開２００２−２０４３１３号公報（段落００５１〜０１３６、図１）
【発明の開示】
【発明が解決しようとする課題】
【００１２】
特許文献１に記載されているシステムでは、旧電話番号と新電話番号とがサーバに登録される。そのため、旧電話番号と新電話番号とがサーバの管理者等に知られてしまい、個人情報が流出してしまうおそれがあるという問題がある。
【００１３】
特許文献２に記載されているシステムでは、変更後の電子メールアドレス等がサーバに登録される。そのため、変更後の電子メールアドレス等をサーバの管理者等に知られてしまい、個人情報が流出してしまうおそれがあるという問題がある。
【００１４】
そこで、本発明は、個人情報の保護に留意しつつ、変更後の電話番号を自動的に通知することができる電話機、電話番号案内システム、および電話番号通知方法を提供することを目的とする。
【課題を解決するための手段】
【００１５】
本発明による電話機は、変更後の電話番号を発信元の電話機に通知する電話機であって、発信元の電話機の電話番号を認識する電話番号認識手段と、変更後の電話番号の通知先の電話番号を記憶する記憶手段と、電話番号認識手段が認識した電話番号を、記憶手段が記憶しているか否かを判断する電話番号比較手段と、電話番号比較手段が、電話番号認識手段が認識した電話番号を記憶手段が記憶していると判断した場合に、変更後の電話番号を発信元の電話機に通知する電話番号案内手段とを備えたことを特徴とする。
【００１６】
記憶手段は、変更後の電話番号を示す情報を記憶し、電話番号案内手段は、電話番号比較手段が、電話番号認識手段が認識した電話番号を記憶手段が記憶していると判断した場合に、変更後の電話番号を示す情報を発信元の電話機に送信してもよい。
【００１７】
記憶手段は、変更後の電話番号を示す信号を記憶し、電話番号案内手段は、電話番号比較手段が、電話番号認識手段が認識した電話番号を記憶手段が記憶していると判断した場合に、変更後の電話番号を示す信号を発信元の電話機に送信してもよい。
【００１８】
本発明による電話番号案内システムは、変更後の電話番号を発信元の電話機に通知する電話番号案内システムであって、発信元の電話機の電話番号を認識する電話番号認識手段と、変更後の電話番号の通知先の電話番号を記憶する記憶手段と、電話番号認識手段が認識した電話番号を、記憶手段が記憶しているか否かを判断する電話番号比較手段と、電話番号比較手段が、電話番号認識手段が認識した電話番号を記憶手段が記憶していると判断した場合に、変更後の電話番号を示す情報を送信する電話番号案内手段とを含む電話機と、変更前の電話番号を用いた接続要求、および変更後の電話番号を用いた接続要求に従って、発信元の電話機と発信先の電話機との情報の送受信を中継するサーバとを備えたことを特徴とする。
【００１９】
変更後の電話番号を発信元の電話機に通知する電話番号通知方法であって、電話機の電話番号認識手段が、発信元の電話機の電話番号を認識する電話番号認識ステップと、変更後の電話番号の通知先の電話番号を記憶する電話機の記憶手段が、電話番号認識ステップで電話機の電話番号認識手段が認識した電話番号を記憶しているか否かを、電話機の電話番号比較手段が判断する電話番号比較ステップと、電話番号比較ステップで、電話機の電話番号比較手段が、電話番号認識ステップで電話番号認識手段が認識した電話番号を記憶手段が記憶していると判断した場合に、電話番号案内手段が、変更後の電話番号を発信元の電話機に通知する電話番号案内ステップとを備えたことを特徴とする。
【００２０】
電話番号比較ステップで電話機の電話番号比較手段が、電話番号認識ステップで電話機の電話番号認識手段が認識した電話番号を記憶手段が記憶していると判断した場合に、電話番号案内ステップで、電話機の電話番号案内手段が、記憶手段が記憶している変更後の電話番号を示す情報を発信元の電話機に送信してもよい。
【００２１】
電話番号比較ステップで電話機の電話番号比較手段が、電話番号認識ステップで電話機の電話番号認識手段が認識した電話番号を記憶手段が記憶していると判断した場合に、電話番号案内ステップで、電話機の電話番号案内手段が、記憶手段が記憶している変更後の電話番号を示す信号を発信元の電話機に送信してもよい。
【００２２】
本発明による電話番号通知プログラムは、変更後の電話番号を発信元の電話機に通知する電話機に搭載される電話番号通知プログラムであって、コンピュータに、発信元の電話機の電話番号を認識する電話番号認識処理と、電話番号認識処理で認識した電話番号を、変更後の電話番号の通知先の電話番号を記憶する記憶手段が記憶しているか否かを判断する電話番号比較処理と、電話番号比較処理において、電話番号認識処理で認識した電話番号を記憶手段が記憶していると判断した場合に、変更後の電話番号を発信元の電話機に通知する電話番号案内処理とを実行させることを特徴とする。
【発明の効果】
【００２３】
本発明によれば、記憶手段が、変更後の電話番号の通知先の電話番号を記憶し、記憶手段が記憶している電話番号の電話機が旧電話番号に発信した場合に、電話番号案内手段が、自動的に変更後の電話番号を発信元に通知する。従って、特定の電話番号の電話機のみに変更後の電話番号を通知するので、個人情報流出の危険性を低減することができる。また、発信者に自動的に変更後の電話番号を通知するので、変更後の電話番号を通知する手間を削減することができる。
【００２４】
電話機の記憶手段が変更後の電話番号を示す情報または信号を記憶するように構成されている場合には、変更後の電話番号を示す情報または信号を第三者が管理するサーバ等に記憶させないので、個人情報流出の危険性を低減することができる。また、サーバ等の記憶容量を削減することができる。また、電話番号案内手段が、変更後の電話番号を示す情報または信号を発信元の電話機に送信するように構成されている場合には、送信した情報または信号を発信元の電話機に音声等に変換させて、変更後の電話番号を音声等で通知することができる。
【発明を実施するための最良の形態】
【００２５】
実施の形態１．
本発明の第１の実施の形態について、図面を参照して説明する。図１は、本発明の電話番号案内システムの第１の実施の形態の構成例を示すブロック図である。
【００２６】
図１に示す電話番号案内システムは、サーバ１１−１〜１１−ｍと、サーバ１１−１〜１１−ｍのいずれかに有線通信回線または無線通信回線を介して接続する電話機２１−１〜２１−ｎとを含む。
【００２７】
各サーバは、一般加入電話通信サービス提供会社または携帯電話通信サービス提供会社が設置した交換機である。また、サーバ１１−２は、他の電話機が、電話機２１−１に対して旧電話番号を用いて発信した場合、および電話機２１−１に対して新電話番号を用いて発信した場合に、発信した電話機と電話機２１−１との情報の送受信の中継を行う。つまり、サーバ１１−２は、一時的に、または永続的に電話機２１−１に新電話番号と旧電話番号とを割り当てている。なお、サーバ間で情報の送受信が行われ、複数のサーバによって発信した電話機と電話機２１−１との情報の送受信の中継が行われてもよい。
【００２８】
電話機２１−１は、記憶部（記憶手段）２１１と、電話番号認識部（電話番号認識手段）２１２と、電話番号比較部（電話番号比較手段）２１３と、電話番号案内部（電話番号案内手段）２１４とを含む。記憶部２１１は、電話機が搭載する記憶素子等によって実現される。電話番号認識部２１２、電話番号比較部２１３、および電話番号案内部２１４は、例えば、電話機が搭載するＣＰＵによって実現される。そして、このＣＰＵは、電話番号通知プログラムに従って動作する。
【００２９】
記憶部２１１は、旧電話番号を示す情報、新電話番号を示す情報、旧電話番号が使用されていないことを示す情報、および新電話番号を通知する相手先の電話番号を示す番号案内リストを記憶している。電話番号認識部２１２は、一般加入電話通信サービス提供会社または携帯電話通信サービス提供会社が提供する発信者番号通知サービスによって通知された発信元の電話番号を認識する。
【００３０】
なお、記憶部２１１が記憶している新電話番号を示す情報は、例えば、新電話番号を示す音声情報である。また、記憶部２１１が記憶している旧電話番号が使用されていないことを示す情報は、例えば、旧電話番号が使用されていないことを示す音声情報である。
【００３１】
電話番号比較部２１３は、電話番号認識部２１２が認識した発信元の電話番号が、記憶部２１１が記憶している番号案内リストに登録されているか否かを判断する。電話番号案内部２１４は、電話番号比較部２１３が、電話番号認識部２１２が認識した発信元の電話番号が、記憶部２１１が記憶している番号案内リストに登録されていると判断した場合に、新電話番号を示す情報を発信元に送信する。
【００３２】
なお、電話機２１−１は、コンピュータに、発信元の電話機の電話番号を認識する電話番号認識処理と、電話番号認識処理で認識した電話番号を記憶部２１１が記憶しているか否かを判断する電話番号比較処理と、電話番号比較処理において、電話番号認識処理で認識した電話番号を記憶部２１１が記憶していると判断した場合に、変更後の電話番号を発信元の電話機に通知する電話番号案内処理とを実行させるための電話番号通知プログラムを搭載している。
【００３３】
次に、電話番号案内システムの動作について、図面を参照して説明する。図２は、発信元に新電話番号を通知する場合の動作を示す説明図である。図３は、発信元に新電話番号を通知する場合の動作を示すフローチャートである。
【００３４】
電話機２１−２が、発信者の操作に従って電話機２１−１の旧電話番号に発信し、電話機２１−１との接続をサーバ１１−２に要求した場合に（ステップＳ１０１）、サーバ１１−２は、電話機２１−１に、電話機２１−２の電話番号を通知する（ステップＳ１０２）。
【００３５】
電話機２１−１の電話番号認識部２１２は、通知された電話機２１−２の電話番号を認識し（ステップＳ１０３）、認識した電話番号を電話番号比較部２１３に出力する。電話機２１−１の電話番号比較部２１３は、電話番号認識部２１２が認識した電話番号（発信元である電話機２１−２の電話番号）が番号案内リストに登録されているか否かを確認する（ステップＳ１０４）。図２に示す例では、通知された電話機２１−２の電話番号は番号案内リストに登録されている。
【００３６】
電話機２１−１の電話番号比較部２１３は、発信元の電話番号が番号案内リストに登録されているので、新電話番号を通知してもよいことを示す情報を電話番号案内部２１４に出力する。電話機２１−１の電話番号案内部２１４は、新電話番号を通知してもよいことを示す情報が入力されたので、記憶部２１１が記憶している新電話番号を示す情報をサーバ１１−２に送信する（ステップＳ１０５）。サーバ１１−２は、受信した新電話番号を示す情報を電話機２１−２に送信する。電話機２１−２は、受信した新電話番号を示す情報を、例えば、音声に変換して出力する。
【００３７】
次に、電話番号案内システムの動作について、具体例を挙げて説明する。図４は、発信元に新電話番号を通知する場合の動作を具体例を挙げて示す説明図である。
【００３８】
図４に示す例では、電話機２１−１の新電話番号は４５６７８であり、旧電話番号は１３５７９である。また、番号案内リストには、電話機２１−２の電話番号である０１２３４と、電話機２１−７の電話番号である２４６８９とが登録されている。そして、電話機２１−２の電話番号は、０１２３４であり、電話機２１−９の電話番号は、９８７６５である。
【００３９】
以下、図４に示す説明図と、図３に示すフローチャートとを参照して、発信元に新電話番号を通知する場合の動作を具体例を挙げて説明する。
【００４０】
電話機２１−２が、発信者の操作に従って電話機２１−１の旧電話番号である１３５７９に発信し、電話機２１−１との接続をサーバ１１−２に要求した場合に（ステップＳ１０１）、サーバ１１−２は、電話機２１−１に、電話機２１−２の電話番号である０１２３４を通知する（ステップＳ１０２）。
【００４１】
電話機２１−１の電話番号認識部２１２は、通知された電話機２１−２の電話番号である０１２３４を認識し（ステップＳ１０３）、認識した電話番号を電話番号比較部２１３に出力する。電話機２１−１の電話番号比較部２１３は、電話番号認識部２１２が認識した電話番号（電話機２１−２の電話番号である０１２３４）が番号案内リストに登録されているか否かを確認する（ステップＳ１０４）。図４に示す例では、通知された電話機２１−２の電話番号である０１２３４は番号案内リストに登録されている。
【００４２】
電話機２１−１の電話番号比較部２１３は、発信元である電話機２１−２の電話番号が番号案内リストに登録されているので、新電話番号を通知してもよいことを示す情報を電話番号案内部２１４に出力する。電話機２１−１の電話番号案内部２１４は、新電話番号を通知してもよいことを示す情報が入力されたので、記憶部２１１が記憶している新電話番号である４５６７８を示す情報をサーバ１１−２に送信する（ステップＳ１０５）。サーバ１１−２は、受信した新電話番号である４５６７８を示す情報を電話機２１−２に送信する。電話機２１−２は、受信した新電話番号である４５６７８を示す情報を、例えば、音声に変換して出力する。
【００４３】
次に、発信元に新電話番号を通知しない場合の動作について、図面を参照して説明する。図５は、発信元に新電話番号を通知しない場合の動作を示す説明図である。図６は、発信元に新電話番号を通知しない場合の動作を示すフローチャートである。
【００４４】
電話機２１−３が、発信者の操作に従って電話機２１−１の旧電話番号に発信し、電話機２１−１との接続をサーバ１１−９に要求した場合に（ステップＳ２０１）、サーバ１１−９は、電話機２１−１に、電話機２１−３の電話番号を通知する（ステップＳ２０２）。
【００４５】
電話機２１−１の電話番号認識部２１２は、通知された電話機２１−３の電話番号を認識し（ステップＳ２０３）、認識した電話番号を電話番号比較部２１３に出力する。電話機２１−１の電話番号比較部２１３は、電話番号認識部２１２が認識した電話番号（発信元である電話機２１−３の電話番号）が番号案内リストに登録されているか否かを確認する（ステップＳ２０４）。図５に示す例では、通知された電話機２１−３の電話番号は番号案内リストに登録されていない。
【００４６】
電話機２１−１の電話番号比較部２１３は、発信元の電話番号が番号案内リストに登録されていないので、新電話番号を通知しないことを示す情報を電話番号案内部２１４に出力する。電話機２１−１の電話番号案内部２１４は、新電話番号を通知しないことを示す情報が入力されたので、記憶部２１１が記憶している旧電話番号が使用されていないことを示す情報をサーバ１１−９に送信する（ステップＳ２０５）。サーバ１１−９は、受信した旧電話番号が使用されていないことを示す情報を電話機２１−３に送信する。電話機２１−３は、受信した旧電話番号が使用されていないことを示す情報を、例えば、音声に変換して出力する。
【００４７】
次に、発信元に新電話番号を通知しない場合の動作について、具体例を挙げて説明する。図７は、発信元に新電話番号を通知しない場合の動作を具体例を挙げて示す説明図である。
【００４８】
図７に示す例では、電話機２１−１の新電話番号は４５６７８であり、旧電話番号は１３５７９である。また、番号案内リストには、電話機２１−２の電話番号である０１２３４と、電話機２１−７の電話番号である２４６８９とが登録されている。そして、電話機２１−２の電話番号は０１２３４であり、電話機２１−９の電話番号は９８７６５である。つまり、電話機２１−９の電話番号は番号案内リストに登録されていない。
【００４９】
以下、図７に示す説明図と、図６に示すフローチャートとを参照して、発信元に新電話番号を通知しない場合の動作を具体例を挙げて説明する。
【００５０】
電話機２１−９が、発信者の操作に従って電話機２１−１の旧電話番号である１３５７９に発信し、電話機２１−１との接続をサーバ１１−９に要求した場合に（ステップＳ２０１）、サーバ１１−９は、電話機２１−１に、電話機２１−９の電話番号を通知する（ステップＳ２０２）。
【００５１】
電話機２１−１の電話番号認識部２１２は、通知された電話機２１−９の電話番号である９８７６５を認識し（ステップＳ２０３）、認識した電話番号を電話番号比較部２１３に出力する。電話機２１−１の電話番号比較部２１３は、電話番号認識部２１２が認識した電話番号（電話機２１−９の電話番号である９８７６５）が番号案内リストに登録されているか否かを確認する（ステップＳ２０４）。図７に示す例では、通知された電話機２１−９の電話番号である９８７６５は番号案内リストに登録されていない。
【００５２】
電話機２１−１の電話番号比較部２１３は、発信元である電話機２１−９の電話番号が番号案内リストに登録されていないので、新電話番号を通知しないことを示す情報を電話番号案内部２１４に出力する。電話機２１−１の電話番号案内部２１４は、新電話番号を通知しないことを示す情報が入力されたので、記憶部２１１が記憶している旧電話番号である１３５７９が使用されていないことを示す情報をサーバ１１−９に送信する（ステップＳ２０５）。サーバ１１−９は、受信した旧電話番号である１３５７９が使用されていないことを示す情報を電話機２１−９に送信する。電話機２１−９は、受信した旧電話番号である１３５７９が使用されていないことを示す情報を、例えば、音声に変換して出力する。
【００５３】
本実施の形態によれば、電話番号を変更した利用者の電話機が番号案内リストを記憶するので、電話番号を変更した利用者の個人情報流出の危険性を低減することができる。
【００５４】
また、番号案内リストに登録されている電話番号の電話機のみに新電話番号を示す情報を送信するので、新電話番号等の個人情報流出の危険性を低減することができる。
【００５５】
また、利用者が自ら連絡することなく新電話番号を通知したい相手に新電話番号を通知するので、利用者が新電話番号を通知する手間を削減することができる。
【００５６】
また、各サーバは番号案内リスト等を記憶しないので、各サーバが番号案内リスト等を記憶する場合に比べて、各サーバが備える記憶容量を削減することができる。
【００５７】
実施の形態２．
本発明の第２の実施の形態について、図面を参照して説明する。図８は、本発明の電話番号案内システムの第２の実施の形態の構成例を示すブロック図である。
【００５８】
図１に示す電話番号案内システムでは、電話機の記憶部２１１が、番号案内リスト等を記憶し、サーバが電話機に旧電話番号と新電話番号とを割り当てていた。しかし、サーバ（交換機）によっては、１台の電話機に旧電話番号と新電話番号とを同時に割り当てることが困難な場合がある。
【００５９】
そこで、図８に示す電話番号案内システムでは、サーバ１１−２が、記憶部（記憶手段）１１１と、電話番号認識部（電話番号認識手段）１１２と、電話番号比較部（電話番号比較手段）１１３と、電話番号案内部（電話番号案内手段）１１４とを含み、記憶部１１１が、番号案内リスト等を記憶する。従って、図８に示すサーバ１１−２の記憶部１１１は、電話機２１−１の旧電話番号を示す情報、新電話番号を示す情報、旧電話番号が使用されていないことを示す情報、および新電話番号を通知する相手先の電話番号を示す番号案内リストを記憶する。
【００６０】
電話番号認識部１１２は、一般加入電話通信サービス提供会社または携帯電話通信サービス提供会社が提供する発信者番号通知サービスによって通知された発信元の電話番号を認識する。電話番号比較部１１３は、発信元の電話機の発信先の電話番号が、旧電話番号と合致するか否かと、電話番号認識部１１２が認識した発信元の電話番号が、記憶部１１１が記憶している番号案内リストに登録されている電話番号に合致するか否かとを判断する。電話番号案内部１１４は、新電話番号を示す情報を発信元に送信する。
【００６１】
次に、図８に示す電話番号案内システムの動作について、図面を参照して説明する。図９は、第２の実施の形態において、発信元に新電話番号を通知する場合の動作を示すフローチャートである。
【００６２】
電話機２１−２が、発信者の操作に従って電話機２１−１の旧電話番号に発信し、電話機２１−１との接続をサーバ１１−２に要求した場合に（ステップＳ３０１）、サーバ１１−２の電話番号認識部１１２は、通知された電話機２１−２の電話番号を認識し（ステップＳ３０２）、認識した電話番号を電話番号比較部１１３に出力する。
【００６３】
サーバ１１−２の電話番号比較部１１３は、電話機２１−２の発信先の電話番号が、電話機２１−１の旧電話番号であるか否かと、電話番号認識部１１２が認識した電話番号（発信元である電話機２１−２の電話番号）が番号案内リストに登録されているか否かとを確認する（ステップＳ３０３）。図８に示す例では、通知された電話機２１−２の電話番号は番号案内リストに登録されている。従って、電話機２１−２の発信先の電話番号は電話機２１−１の旧電話番号に合致し、電話番号認識部１１２が認識した電話機２１−２の電話番号は番号案内リストに登録されている電話番号に合致している。
【００６４】
サーバ１１−２の電話番号比較部１１３は、電話機２１−２が電話機２１−１の旧電話番号に発信し、発信元の電話番号が番号案内リストに登録されているので、新電話番号を通知してもよいことを示す情報を電話番号案内部１１４に出力する。サーバ１１−２の電話番号案内部１１４は、新電話番号を通知してもよいことを示す情報が入力されたので、記憶部１１１が記憶している新電話番号を示す情報を電話機２１−２に送信する（ステップＳ３０４）。
【００６５】
また、電話機２１−ｎ（電話機２１−１、２１−２、２１−７以外の電話機）が、発信者の操作に従って電話機２１−１の旧電話番号に発信し、電話機２１−１との接続をサーバ１１−２に要求した場合に、サーバ１１−２の電話番号認識部１１２は、通知された電話機２１−ｎの電話番号を認識し、認識した電話番号を電話番号比較部１１３に出力する。
【００６６】
サーバ１１−２の電話番号比較部１１３は、電話機２１−ｎの発信先の電話番号が、電話機２１−２の旧電話番号であるか否かと、電話番号認識部１１２が認識した電話番号（発信元である電話機２１−ｎの電話番号）が番号案内リストに登録されているか否かとを確認する。図８に示す例では、通知された電話機２１−ｎの電話番号は番号案内リストに登録されていない。従って、電話機２１−ｎの発信先の電話番号は電話機２１−１の旧電話番号に合致するが、電話番号認識部１１２が認識した電話機２１−ｎの電話番号は番号案内リストに登録されている電話番号に合致しない。
【００６７】
サーバ１１−２の電話番号比較部１１３は、発信元の電話番号が番号案内リストに登録されていないので、新電話番号を通知しないことを示す情報を電話番号案内部１１４に出力する。サーバ１１−２の電話番号案内部１１４は、新電話番号を通知しないことを示す情報が入力されたので、記憶部１１１が記憶している使用されていないことを示す情報を電話機２１−ｎに送信する。
【００６８】
本実施の形態によれば、１台の電話機に旧電話番号と新電話番号とを同時に割り当てることが困難な場合に、利用者が自ら連絡することなく新電話番号を通知したい相手に自動的に新電話番号を通知することができる。従って、利用者が新電話番号を通知する手間を削減することができる。
【００６９】
また、特定の電話番号の電話機のみに変更後の電話番号を通知するので、個人情報流出の危険性を低減することができる。
【００７０】
なお、以上に述べた各実施の形態では、発信元の電話機に新電話番号を示す情報を送信するものとして説明したが、本発明はこれに限定されない。例えば、発信元の電話機にＤＴＭＦ（Ｄｉａｌ  Ｔｏｎｅ  Ｍｕｌｔｉ  Ｆｒｅｑｕｅｎｃｙ）信号等の信号を送信して、発信元の電話機が、受信したＤＴＭＦ信号を音声等に変換して、発信者に新電話番号を通知してもよい。
【産業上の利用可能性】
【００７１】
本発明は、変更された電話番号を案内するシステムに適用することができる。
【図面の簡単な説明】
【００７２】
【図１】電話番号案内システムの第１の実施の形態の構成例を示すブロック図である。
【図２】発信元に新電話番号を通知する場合の動作を示す説明図である。
【図３】発信元に新電話番号を通知する場合の動作を示すフローチャートである。
【図４】発信元に新電話番号を通知する場合の動作を具体例を挙げて示す説明図である。
【図５】発信元に新電話番号を通知しない場合の動作を示す説明図である。
【図６】発信元に新電話番号を通知しない場合の動作を示すフローチャートである。
【図７】発信元に新電話番号を通知しない場合の動作を具体例を挙げて示す説明図である。
【図８】電話番号案内システムの第２の実施の形態の構成例を示すブロック図である。
【図９】第２の実施の形態において、発信元に新電話番号を通知する場合の動作を示すフローチャートである。
【図１０】従来の電話番号案内システムの構成例を示すブロック図である。
【符号の説明】
【００７３】
１１−１〜１１−ｍ  サーバ
２１−１〜２１−ｎ  電話機
１１１、２１１  記憶部
１１２、２１２  電話番号認識部
１１３、２１３  電話番号比較部
１１４、２１４  電話番号案内部
【図１】
2007281688.tif 000003
【図２】
2007281688.tif 000004
【図３】
2007281688.tif 000005
【図４】
2007281688.tif 000006
【図５】
2007281688.tif 000007
【図６】
2007281688.tif 000008
【図７】
2007281688.tif 000009
【図８】
2007281688.tif 000010
【図９】
2007281688.tif 000011
【図１０】
2007281688.tif 000012